(57)【要約】【課題】選択したライン数によらずに前記ラインに多重化された補助データをＰＥＳ化処理することができ、また、選択したラインを変更しても、データの伝送が途切れない符号化伝送装置を得る。【解決手段】映像データ及び音声データと共に補助データを符号化して伝送を行う符号化伝送装置において、指定されたラインに多重された補助データを映像フレーム毎に分離する補助データ分離部と、前記補助データ分離部にて分離した補助データを前記映像フレーム毎に多重する補助データ多重部と、前記補助データ多重部にて多重された補助データをＰＥＳ化処理する補助データＰＥＳ化部とを備える。【選択図】図１
2007300479.tif 000002
【特許請求の範囲】
【請求項１】
映像データ及び音声データと共に補助データを符号化して伝送を行う符号化伝送装置において、
指定されたラインに多重された補助データを映像フレーム毎に分離する補助データ分離部と、
前記補助データ分離部にて分離した補助データを前記映像フレーム毎に多重する補助データ多重部と、
前記補助データ多重部にて多重された補助データをＰＥＳ化処理する補助データＰＥＳ化部と、
を備えたことを特徴とする符号化伝送装置。
【請求項２】
多重化されたデータの分離を行う際に使用される補助データ多重情報を生成する補助データ多重制御部を備え、
前記補助データ多重部は、映像フレーム毎に多重した補助データに前記補助データ多重情報を付加することを特徴とする請求項１記載の符号化伝送装置。
【請求項３】
前記ラインの優先度及び最大ライン数を指示する補助データ分離指示部を備え、
前記補助データ分離部は、前記補助データ分離指示部の指示に基づき、前記補助データの分離を行うことを特徴とする請求項１又は請求項２記載の符号化伝送装置。
【請求項４】
映像データのＰＥＳ化処理を行い、映像フレームに含まれる映像データのタイムスタンプ値を前記映像フレーム毎に出力する映像データＰＥＳ化部と、
音声データのＰＥＳ化処理を行う音声データＰＥＳ化部とを備え、
前記補助データＰＥＳ化部は、前記タイムスタンプ値に基づき補助データのＰＥＳヘッダを生成することを特徴とする請求項１から請求項３のいずれか１項記載の符号化伝送装置。
【請求項５】
ＰＥＳ化された映像データ、ＰＥＳ化された音声データ及びＰＥＳ化された補助データを多重化するＴＳ多重化部を備えたことを特徴とする請求項１から請求項４のいずれか１項記載の符号化伝送装置。
【発明の詳細な説明】
【技術分野】
【０００１】
本発明は、補助データを映像データ及び音声データとともに多重して伝送を行う符号化伝送装置に関する。
【背景技術】
【０００２】
従来の符号化伝送装置には、ＳＤＩ信号から、映像データ、音声データ及び映像信号のブランキング期間に多重された補助データを分離し、前記映像データ及び前記音声データをＭＰＥＧ（Moving Picture Experts Group）−２に規定される符号化処理を行った後、ＰＥＳ（Packetized Elementary Stream）化処理したＰＥＳデータと、前記補助データをＡＲＩＢ（Association of Radio Industries and businesses）ＳＴＤ−Ｂ４０の規定に従いＰＥＳ化処理したＰＥＳデータをＴＳ多重化部にて、ＴＳ多重化し、ＴＳデータとして伝送を行うものがある（例えば、特許文献１参照）。
【０００３】
【特許文献１】特開２００４−２８９５３７号公報（第８頁、図１）
【発明の開示】
【発明が解決しようとする課題】
【０００４】
補助データのＰＥＳ化処理におけるＡＲＩＢ  ＳＴＤ−Ｂ４０規格では、補助データを輝度信号、色差信号領域、水平ブランキング領域、垂直ブランキング領域等のラインに多重することが規定されており、用途により複数のラインを選択して使用することが可能である。また、補助データパケットのＰＥＳ化処理はライン毎に行うことが規定されている。このため、従来の符号化伝送装置は、複数のラインに多重された補助データを、ライン毎にＰＥＳ化処理しＴＳ多重化部へ出力する構成となっており、ＴＳ多重化部は、映像データ用のＰＥＳ入力ポート及び音声データ用のＰＥＳ入力ポートに加えて、補助データ用として、補助データが多重されているライン数と同じ数の補助データ用のＰＥＳ入力ポートを備える必要があった。
【０００５】
一方、符号化伝送装置は小型化及びＬＳＩ化され、ＴＳ多重化部に無制限にＰＥＳ入力ポートを設けることができないという現実がある。さらに近年、音声データを複数の符号化方式で処理して伝送する要求や、複数のラインに多重された補助データを伝送することが必要とされ、必要とされるＰＥＳ入力ポート数が増加している。このため、従来の符号化伝送装置のように、ライン毎にＰＥＳ化処理すると、ＴＳ多重化部に設けられたＰＥＳ入力ポートの数が足りない場合が発生し、データを伝送することができないという課題がある。また必要に応じて補助データのライン選択を変更する場合にも、ライン変更に伴う符号化伝送装置の再設定が必要となり、再設定処理の間、データを伝送できない課題がある。
【０００６】
この発明は、上記課題を解決するためになされたもので、選択したライン数によらずに前記ラインに多重化された補助データをＰＥＳ化処理することができ、また、選択したラインを変更しても、データの伝送が途切れない符号化伝送装置を得ることを目的とする。
【課題を解決するための手段】
【０００７】
この発明による符号化伝送装置は、映像データ及び音声データと共に補助データを符号化して伝送を行う符号化伝送装置において、指定されたラインに多重された補助データを映像フレーム毎に分離する補助データ分離部と、前記補助データ分離部にて分離した補助データを前記映像フレーム毎に多重する補助データ多重部と、前記補助データ多重部にて多重された補助データをＰＥＳ化処理する補助データＰＥＳ化部とを備えたことを特徴とする。
【発明の効果】
【０００８】
この発明によれば、指定されたラインに多重された補助データを映像フレーム毎に分離して多重化し、前記多重化された補助データをＰＥＳ化処理するようにしたので、選択したライン数によらずに、前記ラインに多重化された補助データをＰＥＳ化処理することができ、また、ラインの選択を変更しても、データの伝送が途切れない効果がある。
【発明を実施するための最良の形態】
【０００９】
以下、この発明をより詳細に説明するために、この発明を実施するための最良の形態について、添付の図面に従って説明する。
実施の形態１．
図１は、実施の形態１による符号化伝送装置の構成の一例を示したブロック図である。実施の形態１による符号化伝送装置は、映像データ符号化部１１、音声データ符号化部１２、補助データＰＥＳ化部２０、映像データＰＥＳ化部２１、音声データＰＥＳ化部２２、ＴＳ多重化部３０及び補助データ処理部１００を備えており、さらに、補助データ処理部１００は、補助データ分離指示部１０１、補助データ分離部１０２、補助データ蓄積部１０３、補助データ多重制御部１０４、補助データ多重部１０５を備えている。また、図１中、符号１は外部より入力されるＳＤＩ信号、符号４０はＴＳ多重化部３０より出力されるＴＳデータを表している。
【００１０】
ＳＤＩ（Serial Digital Interface）信号１は、映像データ、音声データ等の主データ及び制御信号、字幕データ、時刻情報等の補助データより構成される。図２は、実施の形態１における補助データの構成を示した図である。ここでは、ＡＲＩＢ  ＴＲ−２３に規定される、補助データパケット中のＵＤＷ（User Data Word）が２５５ｗｏｒｄｓに固定された場合を示している。
【００１１】
図２に示したように、補助データは、ＳＡＶ（Start of Active Video）からＥＡＶ（End of Active Video）のＶＡＮＣ領域（垂直補助データ領域）に補助データパケットとして多重されており、ＳＡＶからＥＡＶの区間に、複数の補助データパケットを有する構成となっている。補助データパケットは、ＡＤＦ（Ancillary Data Flag）、ＤＩＤ（Data Identity）、ＳＤＩＤ（Sub Data Identity）、ＤＣ（Data Count）、ＵＤＷ及びＣＳ（Check Sum）で構成される。ここで、ＡＤＦは補助データであることを示しており、ＡＤＦの検出を行うことにより、補助データの多重有無を判定することが可能である。
【００１２】
映像データ符号化部１１は、入力されるＳＤＩ信号１から映像データを分離してＭＰＥＧ―２に規定される方式で符号化処理を行い、映像データＰＥＳ化部２１に出力する。映像データＰＥＳ化部２１は、映像データ符号化部１１より出力される符号化された映像データをＰＥＳ化処理し、ＴＳ多重化部３０へ出力する。また、映像データＰＥＳ化部２１にてＰＥＳヘッダに付加するタイムスタンプ値をフレーム毎に補助データＰＥＳ化部２０へ出力する。ここでフレームとは映像フレーム、すなわち画像のことであり、フレーム毎にとは１枚の画像を構成する映像データ毎にという意味である。
【００１３】
音声データ符号化部１２は、入力されるＳＤＩ信号１から音声データを分離し、ＭＰＥＧ−２に規定される方式で符号化処理し、音声データＰＥＳ化部２２に出力する。音声データＰＥＳ化部２２は、音声データ符号化部１２より出力される符号化された音声データをＰＥＳ化処理し、ＴＳ多重化部３０へ出力する。補助データ分離指示部１０１は、オペレータ等が図示しないマウス、キーボート等の入力デバイスにより、補助データが多重されているラインの選択を行うと、補助データ分離部１０２へ選択されたラインに多重された補助データをＳＤＩ信号１から分離するように指示する。
【００１４】
補助データ分離部１０２は、補助データ分離指示部１０１からの指示に基づき、選択されたライン毎に、入力されるＳＤＩ信号１にＡＤＦが存在するかを確認し、補助データの多重有無の判定を行う。ここでＡＤＦが確認された場合には、補助データが多重されていると判断し、ラインに多重されている補助データパケット数を算出する。実施の形態１による補助データ分離部１０２は、１フレーム内の各ラインには、補助データパケットが最大４パケット多重されているものとして、各ラインに対して最大４回ＡＤＦの検出を行う。また、ＡＤＦを検出した回数をパケット数とし、補助データパケットをフレーム毎に管理するため、フレーム毎に更新するフレーム番号を生成する。
【００１５】
図３は、実施の形態１における補助データ分離部１０２による変換処理を示した図である。補助データ分離部１０２は、図３に示したように、補助データパケットを識別するＡＤＦをＡＲＩＢ  ＳＴＤ−Ｂ４０に規定されるパケットヘッダ情報に変換処理する。また、選択されたライン毎に、フレーム番号、ライン番号、補助データパケット数及び補助データパケットを補助データ蓄積部１０３へ、フレーム番号、ライン番号及び補助データパケット数を補助データ多重制御部１０４へ出力する。なお、選択されていないラインのデータは破棄される。
【００１６】
補助データ蓄積部１０３は、補助データ分離部１０２より出力されるフレーム番号に基づき、フレーム番号毎に、補助データパケットを蓄積する。図４は、実施の形態１による補助データ蓄積部１０３における補助データパケット蓄積方法を示した図である。図４（Ａ）は、理解を簡単にするために実施の形態１によるＳＤＩ信号１に多重されている補助データパケットをライン毎及びフレーム毎に並べて示した図である。ここでは、Ｎライン〜Ｎ＋３ラインに多重されているＭフレームとＭ＋１フレームの補助データパケットを示している。
【００１７】
図４（Ｂ）は、図４（Ａ）で示した補助データパケットを補助データ蓄積部１０３の蓄積領域へ蓄積した状態を示した図である。補助データパケットは、図４（Ｂ）に示したようにフレーム毎に、対応するフレームデータ蓄積領域に蓄積される。ここでは、オペレータにより選択されたラインがＮライン、Ｎ＋１ライン及びＮ＋２ラインの場合を示しており、図４（Ａ）のＭフレーム及びＭ＋１フレームのＮライン、Ｎ＋１ライン及びＮ＋３ラインに多重されていた補助データパケットが、それぞれ、Ｍフレームデータ蓄積領域及びＭ＋１フレームデータ蓄積領域に蓄積される。なお、図４（Ａ）のＮ＋２ラインに多重されていた補助データパケット１９は、Ｎ＋２ラインが選択されていないため、補助データ分離部１０２にて破棄され補助データ蓄積部１０３の蓄積部には蓄積されない。
【００１８】
補助データ多重制御部１０４は、補助データ分離部１０２より出力されるフレーム番号に基づき、フレーム番号毎に、フレームに含まれるライン番号及び前記ラインに含まれるパケット数を抽出し、補助データ多重情報を生成する。図５は、実施の形態１における補助データ多重情報の構成を示した図である。図５に示すように、補助データ多重情報は、多重情報データ数、補助データ分離ライン及び多重パケット数から構成される。
【００１９】
ここで、補助データ多重数とは、各フレーム内に含まれる補助データパケット数であり、補助データ分離ラインとは、フレームに含まれるラインの区切りを識別するためのパラメータのことでありライン番号が使用される。また、多重パケット数とは、ラインに多重される補助データパケット数のことである。また、補助データ多重制御部１０４は、フレーム番号を含む多重情報データヘッダを補助データ多重情報に付加して補助データ多重部１０５へ出力する。
【００２０】
ここで、前記補助データ多重情報は、ＴＳデータ４０を受信して分離処理を行う分離装置（図示せず）でのデータ分離作業の情報として使用される。補助データ多重情報により、分離装置は、各フレームに含まれるライン数、ライン番号及び各ラインの補助データパケット数を認識することができ、各フレームに含まれるライン毎に補助データパケットの分離を容易に行うことができる。
【００２１】
補助データ多重部１０５は、補助データ多重制御部１０４より出力される多重情報データヘッダに含まれるフレーム番号を参照して、同フレーム番号で蓄積された補助データパケットを出力するよう補助データ蓄積部１０３へ指示し、補助データ蓄積部１０３より出力される補助データパケットに、補助データ多重情報を付加した補助データＥＳを生成する。図６は、実施の形態１における補助データＥＳの構成を示した図である。また、前記補助データＥＳの総データ量を算出し、生成した補助データＥＳとともに補助データＰＥＳ化部２０へ出力する。
【００２２】
補助データＰＥＳ化部２０は、映像データＰＥＳ化部２１より出力されるタイムスタンプ値及び補助データ多重部１０５より出力される補助データＥＳの総データ量に基づきＰＥＳヘッダを生成し、前記ＰＥＳヘッダを補助データＥＳに付加して、ＰＥＳデータを生成し、ＴＳ多重化部３０へ出力する。図７は、実施の形態１における補助データのＰＥＳデータの構成を示した図である。
【００２３】
ここで、補助データをＰＥＳ化処理したデータは、映像データとの同期を取る必要があるが、同一のフレーム内の補助データと映像データは、同一のタイムスタンプ値を持つ。また、映像データＰＥＳ化部２１からは、フレーム毎にタイムスタンプ値が出力され、補助データＰＥＳ化部２０では、フレーム毎にＰＥＳ化処理を行うので、映像データＰＥＳ化部２１から出力されるタイムスタンプ値を、補助データのＰＥＳヘッダに付加してやることで、再生時における映像データと補助データとの同期を取ることが可能である。
【００２４】
ＴＳ多重化部３０は、補助データＰＥＳ化部２０、映像データＰＥＳ化部２１及び音声データＰＥＳ化部２２から出力されるＰＥＳデータをＰＥＳ入力ポートから取り込み、ＭＰＥＧ−２に規定されるＴＳ多重化処理を行い、ＴＳデータ４０を出力する。
【００２５】
次に動作の説明を行う。
図８は、実施の形態１による符号化伝送装置の動作を説明するためのフローチャートである。外部よりＳＤＩ信号１が入力されると（ステップＳＴ１）、映像データ符号化部１１は、入力されるＳＤＩ信号１から映像データを分離し、符号化処理し、映像データＰＥＳ化部２１に出力する。次に、映像データＰＥＳ化部２１は、出力された映像データをＰＥＳ化処理し、映像データのＰＥＳデータをＴＳ多重化部３０へ出力する（ステップＳＴ２）とともに、ＰＥＳヘッダに付加したタイムスタンプ値を補助データＰＥＳ化部２０へ出力する（ステップＳＴ３）。
【００２６】
次に、音声データ符号化部１２は、入力されるＳＤＩ信号１から音声データを分離し、ＭＰＥＧ−２に規定される方式で符号化処理し、音声データＰＥＳ化部２２に出力する。次に、音声データＰＥＳ化部２２は、音声データ符号化部１２より出力される符号化された音声データをＰＥＳ化処理し、音声データのＰＥＳデータをＴＳ多重化部３０へ出力する（ステップＳＴ４）。
【００２７】
次に、補助データ分離部１０２は、補助データ分離指示部１０１からの指示に基づき、入力されるＳＤＩ信号１から補助データを分離し、選択されたライン毎に、ＡＤＦが存在するかを確認し、補助データの多重有無の判定を行う（ステップＳＴ５）。補助データが多重されていない場合には、ステップＳＴ５に戻り、次の選択ラインの補助データの多重有無の判定を行う。補助データが多重されている場合には、ラインに多重されている補助データパケット数を算出し、フレーム毎に更新するフレーム番号を生成するとともに、ＡＤＦをパケットヘッダ情報に変換処理する（ステップＳＴ６）。
【００２８】
次に、補助データ分離部１０２は、選択されたライン毎に、フレーム番号、ライン番号、補助データパケット数及び補助データパケットを補助データ蓄積部１０３へ、フレーム番号、ライン番号及び補助データパケット数を補助データ多重制御部１０４へ出力し（ステップＳＴ７）、すべての選択ラインについて、補助データの多重有無の判定を行ったかどうかの判断を行う（ステップＳＴ８）。すべての選択ラインについて、補助データの多重有無の判定を行っていない場合は、ステップＳＴ５へ戻り、すべての選択ラインについて、ステップＳＴ５からステップＳＴ８の処理を行う。
【００２９】
補助データ蓄積部１０３は、補助データ分離部１０２より出力されるフレーム番号を参照し、フレーム番号毎に、補助データパケットを蓄積する（ステップＳＴ９）。次に、補助データ多重制御部１０４は、フレーム番号毎に、フレームに含まれるラインの番号及び前記ラインに含まれる補助データパケット数を抽出して補助データ多重情報を生成し（ステップＳＴ１０）、フレーム番号を含む多重情報データヘッダを補助データ多重情報に付加して補助データ多重部１０５へ出力する。
【００３０】
次に、補助データ多重部１０５は、補助データ多重制御部１０４より出力される多重情報データヘッダに含まれるフレーム番号に基づき、同フレーム番号で蓄積された補助データパケットを出力するよう補助データ蓄積部１０３へ指示し、補助データ蓄積部１０３より出力される補助データパケットに補助データ多重情報を付加した補助データＥＳを生成する（ステップＳＴ１１）と、前記補助データＥＳの総データ量を算出し、生成した補助データＥＳとともに補助データＰＥＳ化部２０へ出力する。
【００３１】
次に、補助データＰＥＳ化部２０は、映像データＰＥＳ化部２１より出力されるタイムスタンプ値及び補助データ多重部１０５より出力される補助データＥＳの総データ量に基づきＰＥＳヘッダを生成し、前記ＰＥＳヘッダを補助データＥＳに付加したＰＥＳデータを生成し、ＴＳ多重化部３０へ出力する（ステップＳＴ１２）。
【００３２】
ＴＳ多重化部３０は、補助データＰＥＳ化部２０、映像データＰＥＳ化部２１及び音声データＰＥＳ化部２２から出力されるＰＥＳデータをＰＥＳ入力ポートから取り込み、ＭＰＥＧ−２に規定されるＴＳ多重化処理し、ＴＳデータ４０を生成して出力する（ステップＳＴ１３）。
【００３３】
以上のように、実施の形態１による符号化伝送装置によれば、指定されたラインに多重された補助データを映像フレーム毎に分離して多重化し、前記多重化された補助データをＰＥＳ化処理するようにしたので、選択したライン数によらずに前記ラインに多重化された補助データをＰＥＳ化処理することができ、前記補助データを、映像データ及び音声データと共にＴＳ多重化して伝送することが可能である。また、選択したラインを変更しても、データの伝送が途切れない効果がある。また、映像フレームに含まれる映像データのスタンプ値を映像フレーム毎に出力して、前記タイムスタンプ値に基づき補助データのＰＥＳヘッダを生成するようにしたので、再生時における補助データと映像データの同期を取ることができる効果がある。また、補助データパケットに補助データ多重化情報を付加するようにしたので、分離装置は、各フレームに含まれるライン数、ライン番号及び各ラインの補助データパケット数を認識することができ、各フレームに含まれるライン毎に補助データパケットの分離を容易に行うことができる効果がある。
【００３４】
なお、ＵＤＷのサイズを２５５ｗｏｒｄｓに固定せず、ＵＤＷのサイズを可変としてもよい。補助データパケットに含まれるＤＣを変更することにより、ＵＤＷのサイズを変更することができる。この場合、補助データ分離部１０２から補助データ多重制御部１０４にフレーム番号、ライン番号及び補助データパケット数を出力する際に、補助データパケット毎のデータ量も出力するようにする。図９は、ＵＤＷのサイズを可変とした場合における補助データ多重情報の構成を示した図である。図９に示したように、補助データ多重制御部１０４で生成する補助データ多重情報を補助データ分離ライン、多重パケット数及び多重する各パケットのデータ量から構成することで、補助データパケット当たりのＵＤＷのサイズが異なる場合にも、ＴＳ多重部３０にてＴＳデータ４０を生成して伝送し、分離装置（図示せず）にてＴＳデータ４０の分離を行うことができる。
【００３５】
また、ＴＳデータ４０を受信した分離装置（図示せず）における補助データの分離を容易にするために、補助データ多重情報を伝送する構成としたが、補助データ多重情報を補助データパケットフレーム列に付加せず、補助データＥＳを生成してもよい。図１０は、補助データ多重情報を付加しない場合における補助データＥＳの構成を示した図である。この場合、補助データ多重情報が補助データＥＳに含まれないため、その分ＴＳデータ４０のデータ量を減らすことができ、ＴＳデータ４０を外部へ伝送するための伝送容量を減らすことができる効果がある。
【００３６】
実施の形態２．
実施の形態１では、オペレータは、補助データが多重されているラインの選択のみを行うものであったが、ここでは、オペレータがラインの選択に加えて、ライン優先度及び最大ライン数の設定を行う実施形態について説明を行う。実施の形態２による符号化伝送装置は、図１のブロック図と同様に構成されている。ここでは、実施の形態１で説明したものと同様な構成について重複説明を省略し、実施の形態２による符号化伝送装置の特徴となる部分を図１及び図１１を使用して説明する。
【００３７】
実施の形態２による補助データ分離指示部１０１は、オペレータからの入力に基づき補助データ分離部１０２へライン優先度及び最大ライン数の指示を行う。また、選択されたラインに多重された補助データをＳＤＩ信号から分離するように指示する。ここで、最大ライン数とは、補助データ分離部１０２から補助データ蓄積部１０３へ補助データパケットを出力することができるライン数の最大値のことである。
【００３８】
実施の形態２による補助データ分離部１０２は、実施の形態１で説明した動作に加え、補助データ分離指示部１０１から指示されたライン優先度及び最大ライン数に基づき、最大ライン数を超えない範囲で、優先度の高いラインから順に、蓄積した補助データパケットのＡＤＦをＡＲＩＢ  ＳＴＤ−Ｂ４０に規定されるパケットヘッダ情報に変換処理する。その他の構成については、実施の形態１と同様であるため、その説明を省略する。
【００３９】
次に動作の説明を行う。
図１１は、実施の形態２による符号化伝送装置の動作を説明するためのフローチャートである。ＳＤＩ信号１が外部より入力されると、補助データ分離部１０２は、補助データ分離指示部１０１からの指示に基づき、ＳＤＩ信号１から補助データを分離し、選択されたライン毎に補助データの多重有無の判定を行い、フレーム毎に更新するフレーム番号を生成するところまでは実施の形態１における動作と同様である。次に、補助データ分離部１０２は、選択されたラインの補助データパケットをフレーム毎に蓄積部（図示せず）へ蓄積する（ステップＳＴ２０）。
【００４０】
次に、補助データ分離部１０２は、補助データ分離指示部１０１から指示されたライン優先度に基づき、最も優先度の高いラインに多重された補助データパケットのＡＤＦをＡＲＩＢ  ＳＴＤ−Ｂ４０に規定されるパケットヘッダ情報に変換処理する（ステップＳＴ２１）。次に、補助データ分離部１０２は、変換処理したラインのフレーム番号、ライン番号、補助データパケット数及び補助データパケットを補助データ蓄積部１０３へ、フレーム番号、ライン番号及び補助データパケット数を補助データ多重制御部１０４へ出力する（ステップＳＴ２２）。
【００４１】
次に、補助データ分離部１０２は、変換処理したライン数が、補助データ分離指示部１０１から指示された最大ライン数と同じかどうかの判定を行う（ステップＳＴ２３）。変換処理したライン数と最大ライン数とが同じでない場合は、ステップＳＴ２１に戻り、次に優先度の高いラインについてステップＳＴ２１からステップＳＴ２３までの処理を行い、変換処理したライン数と最大ライン数とが同じになるまでステップＳＴ２１からステップＳＴ２３までの処理を繰り返す。なお、選択されていないラインのデータ及び変換処理されなかった蓄積部の補助データパケットは破棄される。以後の処理については、実施の形態１と同様であるため、その説明を省略する。
【００４２】
以上のように、実施の形態２による符号化伝送装置によれば、ラインの選択に加えて、ライン優先度及び最大ライン数の設定を行い、前記ライン優先度及び最大ライン数に基づいて、補助データ分離部１０２から補助データパケットを補助データ蓄積部１０３へ出力するようにしたので、選択するライン数を変更した場合でも、最大ライン数以下のラインの補助データパケットのみが出力されるため、補助データの総データ量が一定値以下となり、ＴＳデータ４０の伝送のために必要以上の伝送容量を確保する必要がなくなる効果がある。なお、補助データ蓄積部１０３にて、ライン優先度及び最大ライン数に基づいて補助データ蓄積部１０３に蓄積した補助データパケットを出力するように構成しても同様の効果が得られる。
【図面の簡単な説明】
【００４３】
【図１】実施の形態１による符号化伝送装置の構成の一例を示したブロック図である。
【図２】実施の形態１による補助データの構成を示した図である。
【図３】実施の形態１による補助データ分離部による変換処理を示した図である。
【図４】実施の形態１による補助データ蓄積部における補助データパケット蓄積方法を示した図である。
【図５】実施の形態１による補助データ多重情報の構成を示した図である。
【図６】実施の形態１による補助データＥＳの構成を示した図である。
【図７】実施の形態１による補助データのＰＥＳデータの構成を示した図である。
【図８】実施の形態１による符号化伝送装置の動作を説明するためのフローチャートである。
【図９】ＵＤＷのサイズを可変とした場合における補助データ多重情報の構成を示した図である。
【図１０】補助データ多重情報を付加しない場合における補助データＥＳの構成を示した図である。
【図１１】実施の形態２による符号化伝送装置の動作を説明するためのフローチャートである。
【符号の説明】
【００４４】
１  ＳＤＩ信号、１１  映像データ符号化部、１２  音声データ符号化部、２０  補助データＰＥＳ化部、２１  映像データＰＥＳ化部、２２  音声データＰＥＳ化部、３０  ＴＳ多重化部、４０  ＴＳデータ、１００  補助データ処理部、１０１  補助データ分離指示部、１０２  補助データ分離部、１０３  補助データ蓄積部、１０４  補助データ多重制御部、１０５  補助データ多重部。
【図１】
2007300479.tif 000003
【図２】
2007300479.tif 000004
【図３】
2007300479.tif 000005
【図４】
2007300479.tif 000006
【図５】
2007300479.tif 000007
【図６】
2007300479.tif 000008
【図７】
2007300479.tif 000009
【図８】
2007300479.tif 000010
【図９】
2007300479.tif 000011
【図１０】
2007300479.tif 000012
【図１１】
2007300479.tif 000013